(57)【要約】【課題】取水口を上方に突出位置させることなくその取水口を支持するとともに、装置の周面形状に丸味を持たせ、網掛かりの可能性を極力低減させる。【解決手段】開口５を有した平坦なケース頭部６とケース頭部６に連続して下方に向けて傘状に開いたケース胴部７とケース胴部７に連続した円環状のスカート部８とからなる略平頭円錐形のケース体４の内方に取水管２の端部３を位置させ、取水管２の端部３における取水口９をケース頂部６の開口５に臨むように回動可能に枢支した。【選択図】  図２
2005076225.tif 000002
【特許請求の範囲】
【請求項１】
開口を有した平坦なケース頭部と前記ケース頭部に連続して下方に向けて傘状に開いたケース胴部と前記ケース胴部に連続した円環状のスカート部とからなる略平頭円錐形のケース体の内方に取水管の端部を位置させ、該取水管の端部における取水口を前記ケース頂部の開口に臨むように回動可能に枢支したことを特徴とする取水口装置。
【請求項２】
前記ケース体は防錆処理が施された鋼材からなるものである請求項１に記載の取水口装置。
【発明の詳細な説明】
【技術分野】
【０００１】
本発明は海底や湖底に設置して、海水や湖水を利用するシステムの取水管の端部における取水口を支持するための取水口装置に関するものである。
【背景技術】
【０００２】
従来から海水や湖水を継続的に利用するシステムでの取水に際しては、取水管の端部を海底や湖底までに降ろし、底の泥や沈殿物を吸い込まないように数々の工夫がなされている。例えば、取水管の端部を底から離した状態にしてその端部における取水口にフロートを取り付けて上方に向けて定置させるようにした取水口装置があり、海底や湖底の傾斜が大きい場合に有効なものとなっている（特許文献１参照）。
また、図４の取水口装置で示されているように、頂部ａに三本の鋼材からなる取水口支持フレームｂが集まるように配置された立体山形状の骨格とし、取水管ｃの端部における取水口ｄを前記頂部ａに取り付けることで、その取水口ｄを上方に向かせるようにしたものもあり、この構造の取水口装置は平らな底に簡単に設置できて多く利用されている。
【特許文献１】特開２００１−１０７４０１号公報（第１頁）
【発明の開示】
【発明が解決しようとする課題】
【０００３】
上述した立体山形状の骨格構成の取水口装置は平坦な海底や湖底への設置が簡単であることに加えて、その構造が簡単であり低コストとなる利点もあった。
しかしながら、このタイプの取水口装置の設置に適した平坦な底は魚が回遊するルートの下となることが多く、そして、この取水口装置の設置後においてその設置位置で装置が底から鋭角に突き出た形状となるとともに、略三角錐の角張った状態となっているため、回遊魚の捕獲に魚網が使用された場合には、魚網が取水口装置に引っ掛る可能性がある。この点、取水口の高さ位置を保ちつつ取水口支持フレームそれぞれの傾斜を底に伏すように小さくすればよいが、装置全体が大型のものとなってしまう不都合があり、網掛かりの危惧が解消できないものとなっていた。
そこで本発明は上記事情に鑑み、取水口を上方に突出位置させることなくその取水口を支持して装置の頂部部分を平らにするとともに、装置の周面形状に丸味を持たせるようにすることを課題とし、網掛かりの可能性を極力低減させることを目的とするものである。
【課題を解決するための手段】
【０００４】
本発明は上記課題を考慮してなされたもので、開口を有した平坦なケース頭部と前記ケース頭部に連続して下方に向けて傘状に開いたケース胴部と前記ケース胴部に連続した円環状のスカート部とからなる略平頭円錐形のケース体の内方に取水管の端部を位置させ、該取水管の端部における取水口を前記ケース頂部の開口に臨むように回動可能に枢支したことを特徴とする取水口装置を提供して、上記課題を解消するものである。
そして、本発明において、上記ケース体は防錆処理が施された鋼材からなるものであることが良好である。
【発明の効果】
【０００５】
本発明の取水口装置によれば、頂部が尖頭形状ではないとともに周方向においても円形状を呈することから、全体形状が角張ったものではなく、海底や湖底に設置されたこの取水口装置に対しての網掛かりを防止することができる。また、取水管の端部の取水口をケース頂部の開口に臨むように回動可能に枢支しているので、取水管を下方に垂らした状態で海底や湖底に降ろした取水口装置が接地するときに、取水管が底に沿って伏せるように倒れ込んでも、その倒れ込みに応じた取水管端部の傾斜をケース体内で可能となり、取水管端部の傾斜に関わりなくケース体の向きを適正にして設置できるなど、実用性に優れた効果を奏するものである。
【発明を実施するための最良の形態】
【０００６】
つぎに本発明を図１から図３に示す実施の形態に基づいて詳細に説明する。
図中１は取水口装置で、該取水口装置１は図示のように取水管２の端部３に略平頭円錐形のケース体４を取り付けたものである。この取水口装置１におけるケース体４は鋼材から作製されていて、開口５を有した平坦なケース頂部６と、このケース頂部６の外周周りに連続して下方に向けて傘状に開いたケース胴部７と、このケース胴部７の下部周りに連続した円環状のスカート部８とからなるものであり、下面を開放しているものである。そして、前記取水管２の端部３はケース体４の下面側からケース体４の内部に配置され、端部３における取水口９が、図２に示すようにケース体４の内部におけるケース頂部６側に設けられた枢支具１０に回動可能にして前記開口５に対応するようにして支持されている。
これによって、ケース体４の内部において取水管２の端部３が前記枢支具１０の回転中心周りに回動でき、取水口装置１の沈設に際し、この取水口装置１を降ろすときにケース体４の下方へと垂れるように降りている取水管２（図２の仮想線で示す状態の取水管）が底との接触により徐々に傾いたとしても、ケース体４自体が傾かないようにしている。
【０００７】
上述のように取水口９を上記開口５に下方から対応させていることから、その取水口９が上方に向いた状態となっており、この取水口装置１を海底や湖底に設置する場合、ケース体４のケース頂部６を上方に向けた状態のまま降ろせばよい。そして、取水管２の端部３が倒れ込みながら取水口装置１が底に達したときに、その取水管２の端部３にケース体４が乗り上げないように上記スカート部８に切り欠き１１が設けられており、ケース体４の内部から外部へと伏した状態となる取水管２がその切り欠き１１に入り込み、スカート部８が適正に接地するように設けられている。
【０００８】
上記取水管２は可撓性を有するものであり、取水口装置１が海底や湖底に接地されたときにケース体４の内方で閉塞することなく曲がり、若干の傾きが生じるものの取水口９が開口５に対応して上方に向くようにしている。このような取水管２としては例えば内径２５０ｍｍの硬質ポリエチレン管が利用できる。
また、取水口装置１におけるケース体４の高さは例えば約５ｍとされ、縦板の鋼板からなる円環状のスカート部８は高さ５０ｃｍ位とすることができる。そして、このスカート部８を備えていることから、取水口装置１を接地したときにスカート部８が底に食い込むようになって設置状態がより安定するようにしている。ケース胴部７の外周面の傾斜角度θは４５度程度が良好である。
このように取水口装置１では、取水管２の横になった端部３に乗り上げることなくその取水管２を切り欠き１１に位置させるようにしたスカート部８の下端部が海底や湖底の底表面に食い込むようになり、また、ケース胴部７の外周面が傾斜し、ケース頂部６が平坦で取水口９も非突出状態としていることから、網掛かりの可能性が極めて小さなものとなる。しかしながら、この取水口装置１での取水口９は開口５に対応して上方に向いていることから、泥などの引き込みを生じることなく適正に取水できるようになる。
【０００９】
上記ケース体４はその内部に広い空間を有しており、この空間を利用してケース体４自体を補強する形鋼や鋼管などからなる補強部材１２が設けられており、ケース頂部６の内面からケース胴部７の内面を経てスカート部８の内面に達する縦の補強部材１２と、ケース胴部７及びスカート部８の内周面を巡る横の補強部材１２とを組み合わせてケース体４を補強している。なお、この内部の補強部材１２は上記取水管２の端部３の動きを損なうことのないように配置されている。
また、図において１３は略Ｕ字状に曲成された鋼板からなるガイドを示していて、ケース体４の内部において上記取水管２の枢支具下の垂下位置から切り欠き１１側までの範囲での取水管２の回動を可能にして、沈設時の取水管端部の傾斜に際してその取水管２を切り欠き１１側に案内するものであり、ケース体４の内部で他方向に取水管の端部が曲がらないように規制する役割を有するものである。
そして、前記補強部材１２、ガイド１３も含めてケース体４は防錆処理が施されていて、使用が長い年月に亘っても強度を保ち、取水管２の端部３を起こして取水口９を上方に向けた状態を確実に維持するようにしている。
【００１０】
なお、本発明において、上記補強部材の配置は特に限定されるものではなく、また、必ずしも補強材が必要とされるものではない。
さらに、ケース頂部に位置する開口は図において四角形のものとして示したが、本発明においてはこの開口の形状は限定されるものではなく、円形状などであってもよい。
【図面の簡単な説明】
【００１１】
【図１】本発明に係る取水口装置の一例を上方から見た状態で示す説明図である。
【図２】沈める状態と設置状態とを示す説明図である。
【図３】設置状態を示す説明図である。
【図４】従来例を示す説明図である。
【符号の説明】
【００１２】
１…取水口装置
２…取水管
３…端部
４…ケース体
５…開口
６…ケース頂部
７…ケース胴部
８…スカート部
９…取水口
１０…枢支具
１２…補強部材
【図１】
2005076225.tif 000003
【図２】
2005076225.tif 000004
【図３】
2005076225.tif 000005
【図４】
2005076225.tif 000006